(57)【特許請求の範囲】
【請求項１】
Ｌ形断面形状のアングルに装着され、該アングルに係合したＺクリップの回転を防止するための金具であって、
該アングルを挟持するアングル挟持部と、
該Ｚクリップを保持するＺクリップ保持部と、
を備えてなるＺクリップ回転防止金具。
【請求項２】
請求項１において、前記アングルは直交する第１フランジ及び第２フランジよりなり、
前記アングル挟持部は、該第１フランジを挟持するフロントプレート及びバックプレートと、これらのフロントプレートとバックプレートとを連絡するタイプレートとを備えてなり、
前記Ｚクリップ保持部は、該フロントプレートと、該フロントプレートから起立する１対の起立片とからなることを特徴とするＺクリップ回転防止金具。
【請求項３】
請求項２において、前記バックプレートより起立し、アングルの前記第２フランジに係合する係止片を備えたことを特徴とするＺクリップ回転防止金具。
【請求項４】
平行方向に延在する第１平板部及び第２平板部と、該第１平板部と第２平板部とをつなぐ連絡部とを有し、該第１平板部にボルト挿通孔を有したＺクリップによって建材をアングルに留付けた構造であって、
該建材にＺクリップの該第１平板部が取り付けられ、該Ｚクリップの第２平板部がアングルに係合しており、
該アングルに請求項１ないし３のいずれか１項に記載の回転防止金具が装着され、
該回転防止金具のＺクリップ保持部に該Ｚクリップが保持されることにより、該Ｚクリップの回転が防止されていることを特徴とする建材の留付構造。
【発明の詳細な説明】
【０００１】
【発明の属する技術分野】
本発明はＺクリップにより建材をアングル等に留付けた場合にＺクリップの回転を防止するための金具と、この金具を用いたＺクリップによる建材の留付構造に関するものである。詳しくは、パネル状建材とりわけ押出成形セメント板の留付に好適なＺクリップ回転防止金具及びＺクリップによる建材の留付構造に関する。
【０００２】
【従来の技術】
Ｚクリップを用いて押出成形セメント板を建て込んだ構造の一例について第３〜７図を参照して説明する。なお、第３図は押出成形セメント板を横張りし、第７図は縦張りした状態を示している。
【０００３】
押出成形セメント板１は、長手方向に貫通する孔２を有し、長手方向の一方の側面に雄実３を有し、他方の側面に雌実４を有した周知形状のものである。
【０００４】
第３図及び第７図の通り、梁１０や柱（図示略）に対し連結用の金具１１を介して通しアングル１２が取り付けられている。この従来例では、窓開口が存在しており、アングルよりなる開口補強鋼材１３，１４も設けられている。
【０００５】
第４図に拡大して示される通り、押出成形セメント板１にＺクリップ２０がボルト３０によって取り付けられ、このＺクリップ２０を介して押出成形セメント板１が通しアングル１２及び開口補強鋼材１３，１４に留付けられている。
【０００６】
このＺクリップ２０は、第５図のように、第１平板部２１、該第１平板部２１と平行な第２平板部２２、これら第１及び第２平板部同士をつなぐ連絡部２３を有した側面視形状が略Ｚ字形状の金具である。第１平板部２１にはボルト挿通用の長孔２４が設けられている。
【０００７】
この第１平板部２１がボルト３０によって押出成形セメント板１に取り付けられ、第２平板部２２が通しアングル１２や開口補強鋼材１３，１４に覆い被さる。
【０００８】
Ｚクリップ２０を押出成形セメント板１に取り付けるには、第６図（ａ）のように、まず押出成形セメント板１のＺクリップ取付位置に電気ドリル４０によって小孔４１をあける。次いで、Ｚクリップ２０をボルト３０、コイルスプリング３１及び座金３２並びに平ナット５１によって押出成形セメント板１に仮留めする（第６図（ｂ），（ｃ），（ｄ），（ｅ））。平ナット５１は挿入用治具５０によって押出成形セメント板１の貫通孔２内に差し込まれる。ボルト３０は、コイルスプリング３１、座金３２、Ｚクリップの長孔２４を通って押出成形セメント板１の小孔４１に挿入され、第６図（ｅ）の如く平ナット５１に螺じ込まれる。挿入用治具５０は、その後、貫通孔２から引き出される。
【０００９】
この仮留め状態にあっては、Ｚクリップ２０は押出成形セメント板１の長手側辺と略平行方向を向いている。押出成形セメント板１を通しアングルに係合させた後、Ｚクリップ２０を９０°回転させ、通しアングル１２や開口補強鋼材１３，１４に対し第４図の如く係合させる。次いで、ボルト３０を十分に締め込んでＺクリップ２０を固定する。さらに、Ｚクリップ２０が回転しないようにするために、Ｚクリップ２０の第２平板部２２を通しアングル１２や開口補強鋼材１３，１４に溶接する。第４図の符号５５はこの溶接箇所を示している。
【００１０】
このように溶接を行うのは、Ｚクリップ２０がボルト３０を中心として矢印θ方向に回転することを防止し、Ｚクリップ２０が通しアングル１２や開口補強鋼材１３，１４から外れるのを防ぐためである。
【００１１】
【発明が解決しようとする課題】
上記の通り、従来のＺクリップによる建材留付構造にあっては、建て込み施工時にＺクリップ２０を溶接する作業が必要であり、また、それに伴い、溶接後のスラグやスパッタを除去する清掃が必要である。さらに、溶接箇所やその近傍に防錆ペイントを塗ることが必要となる。
【００１２】
本発明は、溶接を行うことなくＺクリップの回転防止を行うことを可能とするＺクリップ回転防止金具と、この金具を用いた建材の留付構造を提供することを目的とする。
【００１３】
【課題を解決するための手段】
本発明のＺクリップ回転防止金具は、Ｌ形断面形状のアングルに装着され、該アングルに係合したＺクリップの回転を防止するための金具であって、該アングルを挟持するアングル挟持部と、該Ｚクリップを保持するＺクリップ保持部と、を備えてなるものである。
【００１４】
かかる本発明のＺクリップ回転防止金具は、そのアングル挟持部がアングルを挟持し、Ｚクリップ保持部がＺクリップを保持することによりＺクリップの回転を防止する。
【００１５】
本発明のＺクリップ回転防止金具は、アングル挟持部は、アングルの第１フランジを挟持するフロントプレート及びバックプレートと、これらのフロントプレートとバックプレートとを連絡するタイプレートとを備えてなり、前記Ｚクリップ保持部は、該フロントプレートと該フロントプレートから起立する１対の起立片とからなることが好ましい。
【００１６】
このＺクリップ回転防止金具は、アングル挟持部によってアングルを強力に挟持できると共に、起立片によってＺクリップをしっかりと保持することができる。
【００１７】
本発明のＺクリップ回転防止金具は、バックプレートより起立し、アングルの第２フランジに係合する係止片を備えることが好ましい。
【００１８】
この係止片を設けることにより、回転防止金具の回転が確実に防止される。
【００１９】
本発明の建材の留付構造は、平行方向に延在する第１平板部及び第２平板部と、該第１平板部と第２平板部とをつなぐ連絡部とを有し、該第１平板部にボルト挿通孔を有したＺクリップによって建材をアングルに留付けた構造であって、該建材にＺクリップの該第１平板部が取り付けられ、該Ｚクリップの第２平板部がアングルに係合しており、該アングルに請求項１ないし３のいずれか１項に記載の回転防止金具が装着され、該回転防止金具のＺクリップ保持部に該Ｚクリップが保持されることにより、該Ｚクリップの回転が防止されていることを特徴とするものである。
【００２０】
このように回転防止金具により、Ｚクリップのボルト周りの回転が防止されるので、Ｚクリップによって建材をアングルに留め付けた後にＺクリップをアングルに溶接することが不要である。
【００２１】
【発明の実施の形態】
以下、図面を参照して実施の形態について説明する。第１図（ａ）は実施の形態に係るＺクリップによる建材の留付構造を示す斜視図、第１図（ｂ）はこの回転防止金具の斜視図、第１図（ｃ）はこの回転防止金具の側面図である。
【００２２】
この回転防止金具６０は、アングル挟持部Ａと、Ｚクリップ保持部Ｂと、係止片６５とを有している。
【００２３】
アングル挟持部Ａは、平板形状のバックプレート６４と、該バックプレート６４の一端から垂直に延出したタイプレート６３と、該タイプレート６３のバックプレート６４と反対側の端面からバックプレート６４と同一方向に延出したフロントプレート６１とからなる。フロントプレート６１の先端側とバックプレート６４との間隔は、通しアングル１２の第１フランジ１２ａを弾性的に挟持できるように、第１フランジ１２ａの厚みよりも若干小さくなっている。
【００２４】
フロントプレート６１の１対の側辺から垂直に１対の起立片６２，６２が立設されている。この１対の起立片６２，６２と、フロントプレート６１とによってＺクリップ保持部Ｂが構成されている。起立片６２，６２同士の間隔は、Ｚクリップ２０の第２平板部２２を保持できるように、該第２平板部２２の幅と同一又は若干大き目となっている。なお、起立片６２，６２の延在方向はタイプレート６３の延在方向と直交方向である。
【００２５】
バックプレート６４のタイプレート６３が起立している側辺と反対側の側辺から、タイプレート６３と同一方向に係止片６５が立設されている。該係止片６５とタイプレート６３との間隔は、通しアングル１２の第１フランジ１２ａを挟持できるよう、該第１フランジの幅と同一又は若干大き目となっている。
【００２６】
この回転防止金具６０は、ステンレスプレートを曲げ加工して製作されたものであり、バックプレート６４は、回転防止金具６０を通しアングル１２に装着するときに弾性的に変形可能である。
【００２７】
このように構成された回転防止金具６０は、アングル挟持部Ａに通しアングル１２の第１フランジ１２ａを呑み込ませるようにして通しアングル１２に装着される。この際、係止片６５はバックプレート６４を撓ませながら第１フランジ１２ａの裏面に沿って移動する。係止片６５が通しアングル１２の凸角部１２ｃを通り抜けると、バックプレート６４が元形状に弾性的に復帰し、係止部６５が通しアングル１２の第２フランジ１２ｂに係止される。これにより、回転防止金具６０が通しアングル１２の所定の位置に装着される。第３図の開口補強鋼材１３，１４にも同様にして、回転防止金具６０が装着される。
【００２８】
Ｚクリップ２０を建材（押出成形セメント板１）に対し第５図の如くして取り付け（ただし、ボルト３０は緩目にねじ込んでおく。）、次いでこの建材を立て込み、Ｚクリップを９０°回して通しアングル１２や開口補強鋼材１３，１４に装着された回転防止金具６０のＺクリップ保持部Ｂ内に保持させる。この際、ボルト３０の締め込みが緩いので、該Ｚクリップ２０は、その第２平板部２２が押出成形セメント板１から離反方向に動き得る。このため、該第２平板部２２は、該回転防止金具６０の起立片６２の上を跨ぐように乗り越えてＺクリップ保持部Ｂ内（起立片６２，６２間）に入り込む。その後、ボルト３０を締め込んでＺクリップ２０を固定する。
【００２９】
このように回転防止金具６０が装着されたＺクリップ２０は、該回転防止金具６０のＺクリップ保持部Ｂによって保持され、かつ該回転防止金具６０は、そのアングル挟持部Ａによって通しアングル１２の第１フランジ１２ａを弾性的に強力に挟み付けていると共に、係止部６５が通しアングル１２の第２フランジ１２ｂに係止されているため、Ｚクリップ２０が回転することが阻止される。
【００３０】
そのため、Ｚクリップ２０を通しアングル１２や開口補強鋼材１３，１４に溶接することが不要となる。なお、回転防止金具をステンレス製とすることにより、回転防止金具の発錆をきわめて確実に防止することができる。
【００３１】
次に、本発明の他の実施の形態について説明する。第２図（ａ）は実施の形態に係るＺクリップによる建材の留付構造を示す斜視図、第２図（ｂ）はこの回転防止金具の斜視図、第２図（ｃ）はこの回転防止金具の側面図である。
【００３２】
この回転防止金具７０は、前記回転防止金具６０から係止片６５を除去すると共に、バックプレート６４を若干短くした構成とされている。この回転防止金具７０もアングル挟持部ＡとＺクリップ保持部Ｂとを有する。アングル保持部Ａは、バックプレート７４と、タイプレート７３と、フロントプレート７１とからなる。先の実施の形態における回転防止金具６０のアングル保持部Ａと同様に、フロントプレート７１の先端側とバックプレート７４との間隔は、通しアングル１２の第１フランジ１２ａの厚みよりも若干小さなものとなっており、両者の間で該第１フランジ１２ａを弾性的に挟持可能となっている。
【００３３】
Ｚクリップ保持部Ｂは、フロントプレート７１と、該フロントプレート７１の１対の側辺から垂直に立設された起立片７２，７２とからなる。起立片７２，７２はタイプレート７３と直交方向に延在している。
【００３４】
このように構成された回転防止金具７０は、通しアングル１２の第１フランジ１２ａを該回転防止金具７０のアングル挟持部Ａに呑み込ませるようにして該第１フランジ１２ａに装着される。第３図の開口補強鋼材１３，１４にも同様にして、回転防止金具７０が装着される。
【００３５】
その後、先の実施の形態と同様の方法によって、Ｚクリップ２０の建材（押出成形セメント板１）への取り付け、建材の建て込み、Ｚクリップ２０の回転防止金具７０への係止、ボルト３０の締め込み及び固定が行われる。
【００３６】
このように回転防止金具７０に保持されたＺクリップ２０は、ボルト３０回りに回転することがない。そのため、Ｚクリップ２０を通しアングル１２や開口補強鋼材１３，１４に溶接することが不要となる。
【００３７】
上記説明では建材が押出成形セメント板となっているが、本発明はその他の建材の留付にも適用できる。また、図にはＬ字形断面形状のアングルが示されているが、アングルの断面形状は回転防止金具が装着され得る他の形状のものであっても良い。
【００３８】
【発明の効果】
以上の通り、本発明によると、Ｚクリップを溶接によってアングルに固定することが不要となり、建材の建て込み作業効率が著しく向上する。
【図面の簡単な説明】
【図１】（ａ）は実施の形態に係るＺクリップによる建材の留付構造を示す斜視図、（ｂ）はこの回転防止金具の斜視図、（ｃ）はこの回転防止金具の側面図である。
【図２】（ａ）は別の実施の形態に係るＺクリップによる建材の留付構造を示す斜視図、（ｂ）はこの回転防止金具の斜視図、（ｃ）はこの回転防止金具の側面図である。
【図３】Ｚクリップを用いた建材の建て込み構造を示す斜視図である。
【図４】図３の要部説明図である。
【図５】（ａ）図はＺクリップの正面図、（ｂ）図は（ａ）図のＢ−Ｂ線に沿う断面図である。
【図６】押出成形セメント板にＺクリップを取り付ける手順の説明図であり、（ａ），（ｂ），（ｃ）図は斜視図、（ｄ），（ｅ）図は断面図である。
【図７】Ｚクリップを用いた建材の建て込み構造を示す斜視図である。
【符号の説明】
１  押出成形セメント板
２  貫通孔
３  雄実
４  雌実
１２  通しアングル
１３，１４  開口補強鋼材
２０  Ｚクリップ
２１  第１平板部
２２  第２平板部
２３  連絡部
２４  ボルト挿通孔
３０  ボルト
５１  平ナット
６０，７０  回転防止金具
Ａ  アングル挟持部
Ｂ  Ｚクリップ保持部
６１，７１  フロントプレート
６２，７２  起立片
６３，７３  タイプレート
６４，７４  バックプレート
６５  係止片
【図１】
0004710209.tif 000002
【図２】
0004710209.tif 000003
【図３】
0004710209.tif 000004
【図４】
0004710209.tif 000005
【図５】
0004710209.tif 000006
【図６】
0004710209.tif 000007
【図７】
0004710209.tif 000008